(57)【要約】【課題】  吊り下げ時における横抱き用シートの頭部保持部の変形を抑えて幼児の頭部の周囲に十分なスペースを確保することができる子守帯を提供する。【解決手段】  使用者１０１が装着する子守帯本体２に当該子守帯本体２とは別部品として構成された縦抱き用シート４を装着して、これら子守帯本体２と縦抱き用シート４との間に幼児１００を縦に収容する袋状部分を形成するようにした子守帯１において、子守帯本体２には縦抱き用シート４を留めるためのシート留め部２６ｂを設ける。縦抱き用シート４の下部には子守帯本体２のシート留め部２６ｂに向かって折り返されて袋状部分の底部を形成する底支持部６３を設け、その先端にはシート留め部２６ｂと連結可能な連結具２６ａを縦抱き用シート４の上下方向に位置調整可能に設ける。【選択図】      図２９
2005118475.tif 000002
【特許請求の範囲】
【請求項１】
使用者が装着する子守帯本体に当該子守帯本体とは別部品として構成された縦抱き用シートを装着して、これら子守帯本体と縦抱き用シートとの間に幼児を縦に収容する袋状部分を形成するようにした子守帯であって、
前記子守帯本体には前記縦抱き用シートを留めるためのシート留め部が設けられ、前記縦抱き用シートの下部には前記子守帯本体の前記シート留め部に向かって折り返されて前記袋状部分の底部を形成する底支持部が設けられ、該底支持部の先端には前記シート留め部と連結可能な連結具が前記縦抱き用シートの上下方向に位置調整可能に設けられていることを特徴とする子守帯。
【請求項２】
互いに噛み合い可能な雌雄バックルのうちいずれか一方のバックルが前記シート留め部に設けられ、他方のバックルは、前記連結具として、前記上下方向に延ばされたアジャストベルトを介して前記縦抱き用シートの前記底支持部に取り付けられ、前記他方のバックルの前記アジャストベルトに対する取付位置が調整可能であることを特徴とする請求項１に記載の子守帯。
【請求項３】
前記シート留め部及び前記底支持部のそれぞれには前記バックルが複数組設けられていることを特徴とする請求項２に記載の子守帯。
【請求項４】
前記子守帯本体の前記シート留め部よりも下方には、前記底支持部を挟み込む揺れ止めバンドが設けられていることを特徴とする請求項１〜３のいずれか一項に記載の子守帯。
【請求項５】
使用者が装着する子守帯本体に当該子守帯本体とは別部品として構成された縦抱き用シートを装着して、これら子守帯本体と縦抱き用シートとの間に幼児を縦に収容する袋状部分を形成するようにした子守帯であって、
前記子守帯本体には前記縦抱き用シートを留めるための複数のシート留め部が上下方向に位置をずらして設けられ、前記縦抱き用シートの下部には前記子守帯本体の前記シート留め部に向かって折り返されて前記袋状部分の底部を形成する底支持部が設けられ、該底支持部の先端には前記複数のシート留め部のいずれかと選択的に連結可能な連結具が設けられていることを特徴とする子守帯。
【発明の詳細な説明】
【技術分野】
【０００１】
本発明は、子守帯本体と縦抱き用シートとを組み合わせて幼児の縦抱っこやおんぶを実現する子守帯に関する。
【背景技術】
【０００２】
使用者が胸又は背のいずれかに当てて装着する子守帯本体を袋状に構成し、その袋状部分に幼児を収容して該幼児を縦抱っこ又はおんぶ状態で支えられるようにした子守帯が知られている（特許文献１及び２参照）。この種の子守帯では、子守帯本体に、幼児の背中及び股をそれぞれ支持する背当て部及び股当て部が設けられている。そして、両部の間にはアジャストファスナが設けられ、そのアジャストファスナを結合し、又はその結合を解除することによって子守帯本体の下部の長さを変化させ、それにより幼児の体格に応じて股当て部の深さを変化させるようにしている。
【特許文献１】特開２０００−２４５５８１号公報
【特許文献２】特開２００２−２８２０９７号公報
【発明の開示】
【発明が解決しようとする課題】
【０００３】
従来の子守帯は子守帯本体それ自身を袋状に形成しているが、この場合には子守帯本体の形状が複雑化し、ともすれば幼児の支持形態を柔軟に変化させることができない。そこで、子守帯本体に別部品として構成された縦抱き用シートを装着することにより、これら子守帯本体と縦抱き用シートとの間に幼児を縦に収容する袋状部分を形成する子守帯が検討されている。この場合、袋状部分の底の深さを従来の子守帯と同様に調整可能とすることが望ましい。
【０００４】
そこで、本発明は子守帯本体に別部品として構成された縦抱き用シートを装着して幼児を収容する袋状部分を形成する構造であっても、その袋状部分の深さを調整することができる子守帯を提供することを目的とする。
【課題を解決するための手段】
【０００５】
本発明は、以下の手段により上述した課題を解決する。なお、本発明の理解を容易にするために添付図面の参照符号を括弧書きにて付記するが、それにより本発明が図示の形態に限定されるものではない。
【０００６】
本発明の子守帯は、使用者（１０１）が装着する子守帯本体（２）に当該子守帯本体とは別部品として構成された縦抱き用シート（４）を装着して、これら子守帯本体と縦抱き用シートとの間に幼児（１００）を縦に収容する袋状部分を形成するようにした子守帯であって、前記子守帯本体には前記縦抱き用シートを留めるためのシート留め部（２６ｂ）が設けられ、前記縦抱き用シートの下部には前記子守帯本体の前記シート留め部に向かって折り返されて前記袋状部分の底部を形成する底支持部（６３）が設けられ、該底支持部の先端には前記シート留め部と連結可能な連結具（２６ａ）が前記縦抱き用シートの上下方向に位置調整可能に設けられることにより、上述した課題を解決する。
【０００７】
この発明の子守帯によれば、連結具の位置を縦抱き用シートの上下方向に変化させることにより、シート留め部に対する縦抱き用シートの連結位置を上下方向に変化させることができる。このため、縦抱き用シートの底支持部によって形成される底部の深さを変化させて、幼児の体格に合わせた最適な深さの袋状部分を形成することができる。
【０００８】
本発明の子守帯において、互いに噛み合い可能な雌雄バックル（２６ａ、２６ｂ）のうちいずれか一方のバックル（２６ｂ）が前記シート留め部に設けられ、他方のバックル（２６ａ）は、前記連結具として、前記上下方向に延ばされたアジャストベルト（７５）を介して前記縦抱き用シートの前記底支持部に取り付けられ、前記他方のバックルの前記アジャストベルトに対する取付位置が調整可能であってもよい。このような態様によれば、アジャストベルトに沿ってバックルの取付位置を変化させるだけで底支持部の深さを変化させることができる。
【０００９】
本発明の子守帯においては、前記シート留め部及び前記底支持部のそれぞれに前記バックルが複数組設けられてもよい。複数組のバックルを設けることにより、仮に一つのバックルが外れても残りのバックルによって底支持部と子守帯本体との連結が維持される。従って、安全性が高い。
【００１０】
さらに、前記子守帯本体の前記シート留め部よりも下方には、前記底支持部を挟み込む揺れ止めバンド（３０）が設けられてもよい。連結具を底支持部の先端（下端）に繰り出して底支持部の深さを大きくした場合、その底支持部の下端から連結具とシート留め部までの距離が増加し、底支持部の揺れ易くなる。このような場合、揺れ止めバンドに底支持部を挟んでから連結具をシート留め部と連結すれば、連結具による連結具よりも下方にて底支持部が子守帯本体に拘束され、その結果、底支持部が揺れにくくなる。
【００１１】
本発明の他の子守帯は、使用者（１０１）が装着する子守帯本体（２）に当該子守帯本体とは別部品として構成された縦抱き用シート（４）を装着して、これら子守帯本体と縦抱き用シートとの間に幼児を縦に収容する袋状部分を形成するようにした子守帯であって、前記子守帯本体には前記縦抱き用シートを留めるための複数のシート留め部（８６；８７ａ）が上下方向に位置をずらして設けられ、前記縦抱き用シートの下部には前記子守帯本体の前記シート留め部に向かって折り返されて前記袋状部分の底部を形成する底支持部（６３）が設けられ、該底支持部の先端には前記複数のシート留め部のいずれかと選択的に連結可能な連結具（２６ａ、２６ｂ；８７ｂ）が設けられることにより、上述した課題を解決する。
【００１２】
この発明によれば、連結具を連結するシート留め部を変更することにより、子守帯本体に対する底支持部の連結位置を変化させ、それにより底支持部の深さを変更することができる。
【発明の効果】
【００１３】
本発明によれば、シート留め部に対する縦抱き用シートの連結位置を上下方向に変化させることができるので、縦抱き用シートの底支持部によって形成される底部の深さを変化させて、幼児の体格に合わせた最適な深さの袋状部分を形成することができる。
【発明を実施するための最良の形態】
【００１４】
以下、本発明が適用された子守帯の好適な一形態について説明する。図１はその子守帯１の概要を示すものである。この子守帯１は、幼児（乳児を含む）１００を略水平に寝かせた状態で支持する横抱き状態（図１（ａ））と、幼児１００を対面状態で抱っこする対面抱っこ状態（図１（ｂ）〜（ｄ））と、幼児１００を前向き状態で抱っこする前向き抱っこ状態（図１（ｅ）、（ｆ））と、幼児１００を背負うおんぶ状態（図１（ｇ）、（ｈ））とを使い分けることができる。さらに、対面抱っこ状態、前向き抱っこ状態、及びおんぶ状態では、それぞれヘッドサポート６４（図２５参照）の折り返し位置を変更することにより複数のスタイルを使い分けることができる。
【００１５】
上述した４通りのいずれの使い方をする場合でも、使用者１０１は子守帯本体２を装着する必要がある。そして、横抱き状態では横抱き用シート３が子守帯本体２と組み合わせて使用され、それ以外の状態では縦抱き用シート４が子守帯本体２と組み合わせて使用される。以下、これらの部品の構成及び使用方法について順に説明する。
【００１６】
（子守帯本体について）
まず子守帯本体２について説明する。図２は子守帯本体２を表面２ａ側から、図３は裏面２ｂ側からそれぞれみた状態を示す図である。子守帯本体２は使用者１０１の胸側及び背側のいずれの側にも装着可能であるが、いずれの向きにおても図３に示した裏面２ｂが使用者１０１と対向する。つまり、裏面２ｂが使用者１０１の胸又は背に当てられる。また、図２及び図３の上下方向は使用者１０１への装着時の上下方向と一致している。これらの図に示すように、子守帯本体２は、使用者１０１の胸又は背に当てられるベース部１０と、そのベース部１０の上端から延びる一対の肩帯１１、１１と、ベース部１０の下部に設けられて使用者１０１の腰回りに装着される腰当部１２と、その腰当部１２の両側から延びる一対の腰ベルト１３、１３とを備えている。
【００１７】
ベース部１０の内部には図４に示す背板１４が設けられている。背板１４は、肩帯１１等の芯材に使用されるウレタン等と比べて十分に硬い材料、例えばポリプロピレン樹脂等の硬質樹脂材料からなる成形品である。背板１４の剛性は、子守帯本体２を使用者１０１に装着した際のベース部１０の弾性変形を制限してそのベース部１０の形状をほぼ一定に維持できるように定められている。背板１４は、図４の右側部をベース部１０の上側に一致させた状態でベース部１０内に埋め込まれる。背板１４は、肩帯１１の取付位置に対応する一端側に分岐部１５を有し、他端側にヒンジ軸１６を中心として回転可能な折り曲げ部１７を有している。分岐部１５にはベース部１０の通気性を改善するために抜き窓１８が設けられている。ベース部１０内に挿入された背板１４は表生地にて覆われる。表生地は各種の布地、立体メッシュ生地等の各種の素材が使用される。背板１４と表生地との間にはクッション材が適宜設けられてもよい。
【００１８】
図５にも示したように、腰当部１２の幅方向（図３の左右方向）中央には、腰当部本体２０の背面側からカバー２１が縫い付けられてポケット１９が形成されている。カバー２１にもポリプロピレン樹脂等の硬質材料製の背板が芯材として内蔵されている。ポケット１９にはベース部１０の下端部１０ａが挿入され、その下端は腰当部本体２０及びカバー２１と縫い付けられている。背板１４はベース部１０の下端部１０ａの縫い合わせ部１０ｂまで配置され、その縫い合わせ部１０ｂよりも下方には背板１４が省略された折り畳み部１０ｃが設けられている。この折り畳み部１０ｃを折り畳み、あるいは伸すことにより、ベース部１０に対する腰当部１２の位置を図３に矢印Ａで示したように変化させることができる。
【００１９】
ベース部１０の下端部１０ａには、折り畳み部１０ｃを折り畳んだ位置、及び伸した位置のそれぞれで腰当部１２のスナップ２２ａ（図３参照）と噛み合ってベース部１０と腰当部１２との位置ずれを防止するスナップ２２ｂ…２２ｂが設けられている。なお、背板１４の折り曲げ部１７の曲げ機能を損なうことがないように、折り畳み部１０ｃを折り畳んだ状態でもヒンジ軸１６はポケット１９よりも僅かに上方に位置している。従って、子守帯本体２はベース部１０と腰当部１２との位置関係に拘わらず、ヒンジ軸１６の位置を境として二つに折り曲げ可能である。
【００２０】
図２に戻って、ベース部１０の表面２ａ側の上部には、横抱き用シート３や縦抱き用シート４を留めるための左右一対の留め具２５、２５が設けられている。図６（ａ）に示すように、留め具２５は、支軸部２５ａと、その支軸部２５ａと間隔を空けて並べられた掛止部２５ｂと、支軸部２５ａと掛止部２５ｂのそれぞれの両端を結ぶ連絡部２５ｃ、２５ｃとを備えたリング状に形成されている。掛止部２５ｂが弧状に延びて留め具２５の全体が略Ｄ字型を描くことにより、留め具２５は「Ｄカン」と呼ばれることがある。
【００２１】
図６（ｂ）に示すように、留め具２５は支軸部２５ａに巻き付けられた連結帯２６を介して固定部１０２（ベース部１０はその一例）に固定されるが、左右の連絡部２５ｃ（図６（ｂ）では片側のみ示す）が固定部１０２に向かって曲げられている。このような曲げを連絡部２５ｃに与えることにより、留め具２５の掛止部２５ｂと、留め具２５の支持点Ｘとを結ぶ荷重の作用線ＬＡに対して留め具２５が固定部１０２側へ後退する。ちなみに、連絡部２５ｃが直線状であれば図６（ｃ）に示すように留め具２５の全体が作用線ＬＡ上に位置する。つまり、固定部１０２に対する荷重の作用線ＬＡの傾き角θが同一であれば、連絡部２５ｃを曲げた構造の方が留め具２５の固定部１０２からの浮き上がりを相対的に小さく抑えられる。ベース部１０の留め具２５は横抱き用シート３や縦抱き用シート４を吊り下げるために使用され、ベース部１０の前方には幼児１００が収容されるから、留め具２５を図６（ｂ）のように構成した場合は留め具２５のベース部１０からの浮き上がりを抑え、それにより留め具２５と幼児１００との接触を抑えて幼児１００の居住性を改善することができる。
【００２２】
図２に示すように、ベース部１０の縦抱き用シート４の下端部を留めるためのメスバックル２６ｂ、２６ｂが設けられている（図２９及び図３０も参照）。各メスバックル２６ｂはそれぞれの差し込み方向先端を下に向けてベース部１０の表生地に固定されている。なお、上述した各留め具２５及び各メスバックル２６ｂはそれぞれフラップ２７、２８にて概ね覆われている。メスバックル２６ｂに対するフラップ２８の裏面側（メスバックル２６ｂと対向する側）にはスナップ２９ａが取り付けられている。フラップ２８よりも下方にはベース部１０を横断するようにして揺れ止めバンド３０が設けられている。メスバックル２６ｂをフラップ２８で覆っているのは未使用時（例えば横抱き状態の時）にメスバックル２６ｂ及びこれと噛み合うオスバックル２６ａ（図２５参照）が幼児１００と当たらないようにするためである。
【００２３】
各肩帯１１の付け根（ベース部１０と連結される部分）付近には補助留め具３１、３１が取り付けられている。これらの留め具３１は留め具２５と同様のリング状であるが、その大きさは留め具２５よりも小さい。さらに各肩帯１１の先端側には肩帯１１を腰当部１２に固定するためのオスバックル３２ａが取り付けられている。一方、腰当部１２には肩帯１１のオスバックル３２ａと噛み合うメスバックル３２ｂが取り付けられている。各オスバックル３２ａは左右いずれのメスバックル３２ｂとも噛み合うことができる。つまり、子守帯本体２は、左側の肩帯１１を腰当部１２の右側のメスバックル３２ｂと連結し、右側の肩帯１１を腰当部１２の左側のメスバックル３２ｂと連結して肩帯１１を交差させるたすき掛け状態と、左側の肩帯１１を腰当部１２の左側のメスバックル３２ｂと連結し、右側の肩帯１１を腰当部１２の右側のメスバックル３２ｂと連結して肩帯１１を交差させないリュック掛け状態とのいずれにおいても使用者１０１に装着できる。
【００２４】
オスバックル３２ａの取り付け位置は肩帯１１の長手方向に関して調整可能である。なお、たすき掛け時とリュック掛け時とでは必要な肩帯１１の長さが変化するが、その調整はオスバックル３２ａの取付位置を肩帯１１上で変化させることによって行うことができる。勿論、使用者１０１の体格に応じてもオスバックル３２ａの位置を調整することができる。肩帯１１の長さは、たすき掛け状態でも十分な余長部（オスバックル３２ａから引き出された肩帯１１の余り部分を意味する。）１１ａが残るような長さに設定されているため、リュック掛け時にはオスバックル３２ａから引き出される肩帯１１の余長部１１ａの長さが相当に増すことが予想される。また、使用者１０１の体格が小さい場合には肩帯１１の掛け方に関わりなく余長部１１ａが延びる。従って、肩帯１１には、余長部１１ａを図７に示すように折り畳んで保持するためのバンド１１ｂが設けられている。
【００２５】
また、腰当部１２に設けられたメスバックル３２ｂには通常のメスバックルと異なる特徴がある。図８及び図９に示すように、メスバックル３２ｂの後端及び前端にはベルト通し部３２ｃ、３２ｄがそれぞれ設けられている。なお、オスバックル３２ａを受け入れる開口３２ｅが設けられている側をメスバックル３２ｂの前端と呼んでいる。メスバックル３２ｂの後端側のベルト通し部３２ｃに通されたバックル固定ベルト３３はメスバックル３２ｂの裏面側を通って前端側のベルト通し部３２ｄからメスバックル３２ｂの前方に引き出される。このバックル固定ベルト３３の両端部３３ａ、３３ｂが腰当部１２に縫い付けられることにより、メスバックル３２ｂはオスバックル３２ａが抜き差しされる方向に関する前後において固定部としての腰当部１２に固定される。
【００２６】
通常のメスバックルではその後端側にのみベルト通し部が設けられており、前端側は固定されていない。これに対して、図８及び図９のメスバックル３２ｂにおいては、その前後端が腰当部１２に拘束されている。従って、図１０に示すように肩帯１１のオスバックル３２ａをメスバックル３２ｂに噛み合わせて肩帯１１に矢印Ｂ方向の張力を加えた場合、メスバックル３２ｂを介して腰当部１２に加わる荷重をメスバックル３２ｂの前後に分散させることができる。これにより、腰当部１２の一部への負荷の集中を防ぎ、肩帯１１の張力で腰当部１２を使用者１０１側に満遍なく引き込んで腰当部１２を使用者１０１の腰回りに十分に馴染ませることができる。また、メスバックル３２ｂの前後を腰当部１２に固定することにより、バックル固定ベルト３３によるメスバックル３２ｂの取付方向を適切な方向に固定できる利点もある。オスバックル３２ａを装着する際には、メスバックル３２ｂが後端側のベルト通し部３２ｃを中心として逃げるように回転するおそれがなく、オスバックル３２ａの取り付けが容易となる利点もある。
【００２７】
再び図２に戻って、腰当部１２から延ばされた一方の腰ベルト１３にはオスバックル３４ａが、他方の腰ベルト１３にはメスバックル３４ｂがそれぞれ取り付けられている。オスバックル３４ａの取付位置は腰ベルト１３の長手方向に調整可能である。腰当部１２を使用者１０１の腰回りに当てた状態でこれらの腰ベルト１３を腰回り巻き付けてオスバックル３４ａをメスバックル３４ｂに嵌め合わせることにより腰当部１２を使用者１０１の腰部に取り付けることができる。
【００２８】
（横抱き用シートについて）
次に、横抱き用シート３について説明する。横抱き用シート３は図１１に示すシート本体４０と、図１４に示すハンギングボード４１とを備えている。シート本体４０は幼児１００を寝かせた状態で置くためのマット４２と、そのマット４２の頭部支持部４２ａの周囲を取り囲むように配置されたヘッドガード４３と、マット４２の臀部支持部４２ｂを覆うように設けられた腹部パッド４４と、臀部支持部４２ｂの両側から延ばされて腹部パッド４４と組み合わされる腹部ベルト４５と、マット４２の脚支持部４２ｃから延ばされた臀部ベルト４６とを備えている。
【００２９】
マット４２の内部には図１２に示す背板４７が配置されている。背板４７はマット４２の形状を保持するための芯材として機能するもので、子守帯本体２のベース部１０に設けられた背板１４と同様に、ポリプロピレン樹脂等の硬質樹脂材料からなる成形品である。背板１４の剛性は、横抱き用シート３を吊り下げ支持した際のマット４２の弾性変形を制限してそのマット４２の形状をほぼ一定に維持できるように定められている。背板４７にはその剛性を高めるためにリブ等の補強部が適宜設けられてもよい。
【００３０】
図１１に二点鎖線で示すように、ハンギングボード４１は頭部支持部４２ａにおいてマット４２の内部をその幅方向に横断するように装着されるが、背板４７との上下関係に関してはハンギングボード４１が背板４７よりも下に配置される（図１９参照）。従って、ハンギングボード４１と重ね合わされる部分にはマット４２の幅方向に延びる補強リブ４７ａを設けることが好ましい。
【００３１】
背板４７にはマット４２の通気性を向上させるために複数の通気孔４７ｂ…４７ｂが設けられている。背板４７は表生地にて覆われる。表生地は各種の布地、立体メッシュ生地等の各種の素材が使用される。背板４７と表生地との間にはクッション材が適宜設けられてもよい。また、ヘッドガード４３の内部には図１３に示す芯材４８が設けられている。芯材４８は背板４７と比して十分に柔らかい材料、例えば発泡ポリエチレン樹脂等からなる成形品である。ヘッドガード４３の通気性を改善するため、芯材４８にも複数（図では３つ）の通気孔４８ａ…４８ａが形成されている。芯材４８を覆うヘッドガード４３の表生地には、通気性を考慮して立体メッシュ生地が使用される。
【００３２】
図１１に鎖線で示すように、背板４７はヘッドガード４３の取付位置から臀部支持部４２ｂと脚支持部４２ｃとの境界付近に亘って設けられている。脚支持部４２ｃの内部には背板４７とは別部品として構成された座板４９が設けられている。座板４９も背板４７と同様に硬質樹脂で形成されて表生地で覆われる。マット４２はこれら背板４７と座板４９との間、言い換えれば臀部支持部４２ｂと脚支持部４２ｃとの間で折り曲げ可能である。幼児１００の脚部をマット４２の幅方向（図１１の上下方向）に関して十分な範囲で支持できるように、座板４９は、臀部支持部４２ｂにおける背板４７よりもマット４２の幅方向左右に張り出しており、かつ、座板４９は幼児１００の足先へ向かうほど幅が広がる末広がり形状に形成されている。
【００３３】
腹部パッド４４は、股押え部４４ａとその股押え部４４ａの上端からマット４２の幅方向に拡大する腹部押え部４４ｂとを備えている。股押え部４４ａの下端（図１１の左端）がマット４２に縫い付けられることにより、腹部パッド４４は股押え部４４ａを腕として開閉可能な状態でマット４２に取り付けられている。股押え部４４ａの上端にはマット４２の幅方向両側に開口する袋部４４ｃが設けられている。一方の腹部ベルト４５はその袋部４４ｃの一端側から通過して他端側に引き出されている。その一方の腹部ベルト４５に設けられたオスバックル５０ａが他方の腹部ベルト４５に設けられたメスバックル５０ｂに噛み合わされることにより、腹部ベルト４５が相互に連結される。腹部ベルト４５に対するメスバックル５０ｂの取付位置は腹部ベルト４５の長手方向に調整可能である。
【００３４】
臀部ベルト４６は腹部パッド４４の股押え部４４ａに沿って配置されており、その端部が股押え部４４ａとともにマット４２に縫い付けられている。臀部ベルト４６はマット４２の幅方向に関する中心に配置されている。腹部ベルト４５が通される袋部４４ｃの表面にはリング状のベルト通し具５１が取り付けられている。臀部ベルト４６はそのベルト通し具５１を通過してヘッドガード４３側に引き出されており、その先端にはフック５２が取り付けられている。フック５２は臀部支持部４２ｂ側を子守帯本体２に装着する際に使用されるが詳細は後述する。
【００３５】
図１４はハンギングボード４１の斜視図、図１５は平面図、図１６は底面図である。これらの図に示すように、ハンギングボード４１は、帯状のマット受け部４１ａの両端から上方に突出する一対のアーム部４１ｂ、４１ｂとを備えている。一方のアーム部４１ｂの上端には留め具５５が取り付けられ、他方のアーム部４１ｂの上端にはハンギングベルト５６が取り付けられている。また、ハンギングボード４１の内部には図１６に示す芯材５７が設けられている。芯材５７は背板１４等と同様にナイロン、ポリプロピレン等の硬質樹脂材料にて形成されており、ハンギングボード４１の外観と略相似形である。芯材５７は布地、立体メッシュ生地等の各種の素材からなる表生地にて覆われる。
【００３６】
図１４及び図１５に戻って、ハンギングベルト５６の先端にはフック５８が取り付けられ、ハンギングベルト５６の途中にはそのフック５８と噛み合うことが可能な留め具５９が取り付けられている。フック５８の位置調整によって生じるハンギングベルト５６の余長部５６ａはフック５８から折り返されて元のハンギングベルト５６に沿って配置されている。留め具５５はフック５８が通過可能な大きさである。この留め具５５は図２の子守帯本体２に装着された留め具２５と同様に、側方からみて屈曲した形状を有している。その曲がり方向はハンギングボード４１のマット受け部４１ａの長手方向に関して外側に曲がるように設定されている（図１９参照）。
【００３７】
ハンギングボード４１はシート本体４０に対して着脱可能である。ハンギングボード４１をシート本体４０から分離すればその破損時には単独で交換でき、汚れた際にはこれを単独で洗濯することができる。また、携行時にもシート本体４０が嵩張らない利点が生じる。図１６に示すように、ハンギングボード４１の底面側には一対のスナップ６０が設けられている。これらのスナップ６０はハンギングボード４１をマット４２に装着した際にマット４２側のスナップ（不図示）と噛み合ってハンギングボード４１とマット４２との位置ずれを防止する手段として設けられている。なお、マット４２の側方にはハンギングボード４１を抜き差しするための開口部（不図示）が設けられるが、マット４２の幅方向に関するハンギングボード４１の向きは左右反転可能である。つまり、ハンギングボード４１は、その留め具５５が図１１の上側に位置する状態、図１１の下側に位置する状態のいずれの向きでもマット４２に取り付け可能である。
【００３８】
次に、横抱き用シート３の使用方法を説明する。図１８は横抱き用シート３を子守帯本体２に装着した状態を示し、図１９はシート本体４０に装着されたハンギングボード４１を留め具２５に装着した状態を示している。ハンギングボード４１は子守帯本体２に近い側にハンギングベルト５６が位置するような向きでシート本体４０に装着される。従って、図１８の左側に頭部支持部４２ａが向けられる場合にはハンギングボード４１はその長手方向に関して逆向きでシート本体４０に装着される。
【００３９】
図１８及び図１９に矢印ａ、ｂ、ｃで示すように、ハンギングボード４１を留め具２５に装着する際には、まずハンギングベルト５６のフック５８を内側から留め具２５に通し、続いてフック５８をハンギングボード４１の留め具５９に下から通し、留め具５９の上方に引き出されたフック５８をハンギングベルト５６自身の留め具５９に噛み合わせる。これにより、図１９に示すようにハンギングボード４１のマット受け部４１ａ、及びアーム部４１ｂ、４１ｂとハンギングベルト５６とがループ状に繋がり、ハンギングボード４１が留め具２５に吊り下げられて、そのハンギングボード４１のマット受け部４１ａにより背板４７が支持される。図１９に示すように、マット４２の頭部支持部４２ａは硬質樹脂製の背板４７と、硬質樹脂製の芯材５７を内蔵したハンギングボード４１にて囲まれるので吊り下げ荷重による変形が制限され、幼児の頭部１００ａの周囲に十分なスペースが確保されてその居住性が高まる。留め具５５が外側へ屈曲しているので、頭部１００ａ側への留め具５５やハンギングベルト５６の張り出しが抑えられて居住性がさらに向上する。
【００４０】
なお、図２０（ａ）に示すように、ハンギングベルト５６のフック５８を留め具５９に噛み合わせた状態において、フック５８から引き出されたハンギングベルト５６の余長部５６ａは留め具５５側に折り返される。従って、仮にフック５８が留め具５９から外れたとしても、図２０（ｂ）に示すように余長部５６ａが留め具５５に引っ掛かってフック５８は留め具５５をすり抜けることができない。これにより、フック５８が外れた場合でもハンギングベルト５６が留め具５５から外れてハンギングボード４１の片側が開放されるおそれがなく、安全性が確保される。
【００４１】
また、図１４、図１９及び図２１（ａ）に示すように、ハンギングベルト５６の途中にはハンギングベルト５６を折り返して縫い合わせることにより一対のストッパ部５６ｂ、５６ｂが形成されている。ハンギングベルト５６を子守帯本体２の留め具２５に通す際に、図２１（ｂ）に示すように留め具２５の前後にストッパ部５６ｂ、５６ｂを配置することにより、留め具２５に対するハンギングベルト５６の滑りを制限することができる。これにより、留め具２５を基準としたハンギングボード４１の各アーム部４１ｂ、４１ｂの相対位置の変化を制限し、留め具２５からのシート本体４０の吊り下げ姿勢をほぼ一定に保つことができる。
【００４２】
図１８に戻って、横抱き用シート３の臀部支持部４２ｂ側は、ベルト通し具５１を通過した臀部ベルト４６の先端のフック５２を子守帯本体２の反対側の留め具２５に噛み合わせることにより留め具２５に吊り下げ支持される。この吊り下げ状態では腹部パッド４４の股押え部４４ａが折り曲げられてマット４２の脚支持部４２ｃが臀部支持部４２ｂから斜め上方に持ち上げられる。このため、図２２に示すように幼児１００の脚部１００ｃが臀部１００ｂよりも持ち上がる。また、ハンギングベルト５６による頭部支持部４２ａの支持位置が、臀部ベルト４６にて支持される臀部支持部４２ｂよりも上方に偏るように各ベルト５６、４６の長さが設定されている。従って、横抱き用シート３に寝かされた幼児１００の姿勢は、図２２に仮想線ＬＢで示したように頭部１００ａから臀部１００ｂに向かって徐々に下がり、臀部１００ｂよりも脚部１００ｃが持ち上げられた状態となり、自然な抱っこ姿勢が得られる。横抱き用シート３を子守帯本体２から外してフロア等の水平面上に置いた場合には、臀部ベルト４６による脚支持部４２ｃの持ち上げがなくなって頭部支持部４２ａから脚支持部４２ｃまでが水平に保持される。このため、脚部１００ｃのみが持ち上げられた不自然な姿勢で幼児１００が寝かせられることもない。
【００４３】
上述した横抱き状態において、頭部支持部４２ａがハンギングベルト５６によりその幅方向両側で分散して支持される。また、臀部支持部４２ｂ及び脚支持部４２ｃは臀部ベルト４６により脚支持部４２ｃの幅方向中央で支持されるとともに、腹部ベルト４５により臀部支持部４２ｂの幅方向両側で支持される。このため、マット４２がその中心線ＬＣの回りに捻られるおそれがなく、マット４２に寝かされた幼児１００を中心線ＬＣに沿って真っ直ぐに支持することができる。幼児１００の体重により背板４７が中心線ＬＣを底として適度に湾曲するため、幼児１００をマット４２の中心線ＬＣ上に寄せてその横抱き姿勢をさらに安定させることができる。さらに、脚部１００ｃに関しては幅の広い座板４９が配置されることにより、図２４に示したように脚部１００ｃの周囲に十分なスペースを確保し、脚部１００ｃの圧迫を防ぐことができる。
【００４４】
（縦抱き用シートについて）
次に、縦抱き用シート４について説明する。図２５は縦抱き用シート４を表面４ａ側から、図２６は裏面４ｂ側からそれぞれみた状態を示す図である。また、図２７は縦抱き用シート４の表面４ａ側の異なる態様を示す図である。なお、図２５及び図２６の上下方向は使用時における上下方向に一致させてある。縦抱き用シート４は内面４ｂを子守帯本体２の表面２ａと対向させた状態で子守帯本体２に取り付けられることにより、幼児１００を縦に収容する袋状部分を形成するために用いられる。これらの図に示すように、縦抱き用シート４は、シート本体６２と、そのシート本体６２の下部に連続して設けられた底支持部６３と、シート本体６２の上部に連続して設けられたヘッドサポート６４とを備えている。
【００４５】
シート本体６２は子守帯本体２に向かって幼児１００を引き寄せて保持する部分であり、その両側からは脇下ベルト６５、６５が延ばされている。脇下ベルト６５にはオスバックル６６ａが設けられ、シート本体６２の表面４ａ側にはそれぞれのオスバックル６６ａと噛み合い可能なメスバックル６６ｂが取り付けられている。左右のオスバックル６６ａをメスバックル６６ｂとそれぞれ噛み合わせることにより、図２７に示すようにシート本体６２の左右において脇下ベルト６５によるループを形成することができる。オスバックル６６ａは脇下ベルト６５の長手方向に位置調整可能である。オスバックル６６ａから引き出された脇下ベルト６５の余長部６５ａはハンギングベルト５６の余長部６５ａ等と同様に、オスバックル６６ａから脇下ベルト６５の付け根（シート本体６２との連結部）側に折り返される。また、シート本体６２の一側部からは幼児１００の胴回りに装着される胴部ベルト６７が延ばされている。胴部ベルト６７の先端にもオスバックル６８ａが位置調整可能に設けられ、そのオスバックル６８ａはシート本体６２の反対側に設けられたメスバックル６８ｂと噛み合い可能である。
【００４６】
シート本体６２とヘッドサポート６４との間には幼児１００の腕を通すための腕抜き部６９が形成されている。また、シート本体６２の幅は底支持部６３に近付くほど徐々に狭められている。縦抱き用シート４は、子守帯本体２の背板１４や横抱き用シート３の背板４７及び座板４９のような剛性の高い芯材を備えておらず、その内部には発泡ウレタンのような軟質材料からなる芯材が必要に応じて配置されているだけである。縦抱き用シート４の通気性を改善するため、図２６にハッチングを付して示した領域７０ａは立体メッシュ生地にて構成されている。ハッチング領域７０ａよりも外側の領域７０ｂは上記の芯材を適当な表生地にて覆った構成である。表生地は表面４ａと裏面４ｂとで異なってもよいし同一でもよい。なお、領域７０ａにも適宜芯材やクッション材等の内装材が設けられてよいが、その場合には図２７に破線で示したように適宜の通気孔７２…７２を内装材に設けることが望ましい。なお、シート本体６２の下部から底支持部６３にかけての領域７０ａには芯材やクッション材といった内装材が設けられず、縦抱き用シート４は図示の状態から幅方向に縮めることが可能である。シート本体６２の表面側には立体メッシュ生地に覆われるようにして一対のスナップ７３ａ、７３ｂが幅方向に距離を空けて設けられている。これらのスナップ７３ａ、７３ｂを嵌め合わせることにより、シート本体６２の下部の幅を狭めた状態に保持することが可能である。幼児を前向き抱っこする場合にこのように幅を狭めることにより、幼児の股部分を十分に解放して快適性を向上させることができる。
【００４７】
底支持部６３は子守帯本体２と組み合わされることにより幼児保持用の袋状部分の底部を形成するために設けられている。図２５及び図２７に示すように底支持部６３には左右一対のアジャストベルト７５、７５が設けられている。各アジャストベルト７５の先端にはオスバックル２６ａが取り付けられている。各オスバックル２６ａは子守帯本体２のメスバックル２６ｂと噛み合い可能である。アジャストベルト７５に対するオスバックル２６ａの取付位置はアジャストベルト７５の長手方向に調整可能である。
【００４８】
さらに、底支持部６３にはオスバックル２６ａを隠すためのフラップ７６が設けられ、そのフラップ７６にはスナップ２９ｂが設けられている。スナップ２９ｂは子守帯本体２のスナップ２９ａ（図２参照）と噛み合い可能である。また、フラップ７６にはアジャストベルト７５を通すためのループベルト７８が設けられている。オスバックル２６ａはこれらのループベルト７８をくぐって縦抱き用シート４の下端側に引き出し可能である。
【００４９】
ヘッドサポート６４は幼児１００の頭部１００ａを保護する目的で設けられている。図２５に示すように、ヘッドサポート６４の両側からはサポートベルト８０が延ばされており、それらのサポートベルト８０の先端側にはフック８１が取り付けられている。フック８１は子守帯本体２の補助留め具３１と噛み合い可能である。フック８１はサポートベルト８０の裏面４ｂ側に取り付けられている。つまり、フック８１はサポートベルト８０に対して表裏逆に取り付けられており、補助留め具３１にフック８１を引っ掛ける際にはサポートベルト８０を捻る必要がある。その理由は後述する。なお、図２６及び図２７に示すように、サポートベルト８０にはフック８１を覆うようにヘッドフックカバー８２が取り付けられる。図２５ではヘッドフックカバー８２の図示が省略されている。ヘッドフックカバー８２を設けたのはフック８１が幼児１００の顔等に当たらないようにするためである。洗濯等の便宜を図るため、ヘッドフックカバー８２はサポートベルト８０から抜き取り可能である。
【００５０】
さらに、ヘッドサポート６４には上下方向に間隔を設けられた３本の縫い目線８３によって区分されている。これらの縫い目線８３毎に芯材等が分けられることにより、ヘッドサポート６４はいずれかの縫い目線８３を境として外側（表面４ａの側）に折り曲げ可能である。
【００５１】
次に、縦抱き用シート４の使用方法について説明する。図２８は縦抱き用シート４を子守帯本体２に装着した状態を示している。この図に示すように、縦抱き用シート４を子守帯本体２に取り付けるには、縦抱き用シート４を裏返した状態で矢印ｄに示すように底支持部６３の各オスバックル２６ａを子守帯本体２のメスバックル２６ｂに装着し、スナップ２９ａ、２９ｂを相互に噛み合わせて子守帯本体２と縦抱き用シート４の底支持部６３とを連結する。連結後に縦抱き用シート４を上方に折り返して底支持部６３により幼児１００の下から支えるループを形成する。また、脇下ベルト６５については矢印ｅに示すようにオスバックル６６ａを留め具２５に裏側から通し、留め具２５の表側に脇下ベルト６５を引き出す。そして、矢印ｆに示すようにオスバックル６６ａを縦抱き用シート４に固定されたメスバックル６６ｂに装着して脇下ベルト６５によるループを形成する。さらに、ヘッドサポート６４から延びたサポートベルト８０のフック８１を矢印ｇに示すように補助留め具３１に対して外側から引っ掛ける。以上のような手順を踏むことにより、図２８に示したように縦抱き用シート４を子守帯本体２に固定してそれらの間に幼児１００を収容するポケットを形成することができる。なお、オスバックル６６ａからは脇下ベルト６５の余長部６５ａが折り返されているので、仮にオスバックル６６ａがメスバックル６６ｂから外れることがあっても、余長部６５ａが留め具２５に引っ掛かってオスバックル６６ａは留め具２５をすり抜けることができない。これにより、安全性が高められている。この点はハンギングベルト５６と留め具２５との関係と同じである。
【００５２】
図２８の状態では、底支持部６３によって形成されたループの底部に幼児の臀部が載せられ、幼児の脚部は底支持部６３の側方に生じている股抜き用の開口８５から縦抱き用シート４の外部へ突き出される。また、幼児の腕は腕抜き部６９の部分に生じた開口から縦抱き用シート４の外部へ突き出され、その幼児の脇下を脇下ベルト６５が通ることになる。
【００５３】
以上の取り付け方法は、縦抱き用シート４を使用する対面抱っこ状態、前向き抱っこ状態及びおんぶ状態に共通する基本的な方法であるが、本実施形態の子守帯１では、縦抱き用シート４の各部の調整機能を利用して様々な使用方法を実現することができる。以下、これらについて説明する。
【００５４】
（縦抱き用シートの深さ調整について）
本実施形態の子守帯１においては、アジャストベルト７５に対するオスバックル２６ａの取付位置を変化させることによって縦抱き用シート４の底支持部６３の深さ、換言すれば底支持部６３による幼児の臀部の支持位置を上下方向に変化させることができる。すなわち、アジャストベルト７５を短くすれば底支持部６３の深さを減少させることができ、アジャストベルト７５を長くすれば底支持部６３の深さを増加させることができる。図２９はアジャストベルト７５を短くした場合の底支持部６３と子守帯本体２との連結手順を示し、図３０はアジャストベルト７５を長くした場合の底支持部６３と子守帯本体２との連結手順を示している。
【００５５】
すなわち、底支持部６３を浅くするには図２９（ａ）に示すように、アジャストベルト７５をループベルト７８に通したままオスバックル２６ａの取付位置をアジャストベルト７５の付け根（底支持部６３に対する縫い付け位置）側に変化させることにより、アジャストベルト７５を短くして底支持部６３を部分的に折り畳む。この状態で図２９（ｂ）に示すようにオスバックル２６ａを子守帯本体２のメスバックル２６ｂに差し込んでスナップ２９ａ、２９ｂを噛み合わせる。
【００５６】
一方、底支持部６３を深くするには、図３０（ａ）に示すようにアジャストベルト７５をループベルト７８に通したままオスバックル２６ａの取付位置をアジャストベルト７５の先端側に変化させることによりアジャストベルト７５を長くして、底支持部６３を真っ直ぐに延ばす。この状態で図３０（ｂ）に示すようにオスバックル２６ａを含む底支持部６３の下端部分を子守帯本体２の揺れ止めバンド３０（図２参照）にくぐらせ、その後、図３０（ｃ）に示すようにオスバックル２６ａを子守帯本体２のメスバックル２６ｂに差し込んでスナップ２９ａ、２９ｂを噛み合わせる。このように底支持部６３の深さを調整すれば、縦抱き用シート４を利用した抱っこ状態又はおんぶ状態において、幼児の体格に応じた最適な深さで底支持部６３をループ状に丸めることができる。なお、特に深さを増した場合において、底支持部６３を揺れ止めバンド３０に通すことにより、底支持部６３の揺れを抑えることができる利点がある。すなわち、底支持部６３の深さを増加させた場合には、底支持部６３によって形成されるループの底がバックル２６ａ、２６ｂの連結位置よりも下方に遠く離れるため、バックル２６ａ、２６ｂの連結位置で底支持部６３を拘束しても底支持部６３に支持される幼児の臀部の前後左右の揺れを十分に抑えることができない。これに対して、メスバックル２６ｂよりも下方にて揺れ止めバンド３０を利用して底支持部６３を前後左右に拘束すれば、底支持部６３に支持された幼児の臀部の揺れを抑えることができる。
【００５７】
以上のような連結構造によれば、底支持部６３を二組のバックル２６ａ、２６ｂによって子守帯本体２と連結するので、仮に一組のバックル２６ａ、２６ｂが外れたとしても底支持部６３が子守帯本体２と連結された状態が維持され、安全性が高い。また、底支持部６３によって形成されるループよりも高い位置にバックル２６ａ、２６ｂが配置されているので、底支持部６３のループ状部分にクッション材等を入れて着座時の感触を改善することもできる。
【００５８】
なお、底支持部６３による支持位置の調整は上記の構成に限らず、他の構成によっても実現することができる。図３１（ａ）〜（ｄ）はその一例を示している。この例では、子守帯本体２に上下二段にループバンド８６が取り付けられ（図３１（ａ））、縦抱き用シート４の底支持部６３にはオスバックル２６ａ及びメスバックル２６ｂが取り付けられている（図３１（ｂ））。底支持部６３を子守帯本体２に連結する際において、上下いずれかのループバンド８６を選択し、選択されたループバンド８６にオスバックル２６ａを通してからメスバックル２６ｂと連結し、（図３１（ｃ））、その後に底支持部６３をループ状に折り返す（図３１（ｄ））。これにより、底支持部６３の連結位置を上下二段に変化させることができる。
【００５９】
また、図３２（ａ）〜（ｄ）は他の例を示している。この例では、子守帯本体２に上下二段にファスナ８７ａが取り付けられ（図３２（ａ））、縦抱き用シート４の底支持部６３にはファスナ８７ａと噛み合い可能なファスナ８７ｂが取り付けられている（図３２（ｂ））。底支持部６３を子守帯本体２に連結する際において、子守帯本体２側の上下いずれかのファスナ８７ａを選択し、選択されたファスナ８７ａと、底支持部６３のファスナ８７ｂとを揃えてチャック８７ｃを引いて両者を噛み合わせる（図３２（ｃ））。その後に底支持部６３をループ状に折り返し、クランプ８７ｃの引き手８７ｄを子守帯本体２の裏面側にスナップ８８を利用して固定する（図３２（ｄ））。このような構造によっても底支持部６３の連結位置を上下二段に変化させることができる。
【００６０】
（ヘッドサポートの折り返しについて）
図１において既に説明したように、本実施形態の子守帯１においては、縦抱き用シート４を利用する際にそのヘッドサポート６４を３本の縫い目線８３（図２５、図２７及び図２８参照）のいずれかに沿って外側に折り返すことにより、異なるスタイルで使用することができる。図３３に折り返した状態の一例を示す。上述したように、本実施形態ではサポートベルト８０のフック８１が裏表逆に取り付けられ、サポートベルト８０を裏返すように半回転させてフック８１を補助留め具３１に取り付けることになる。従って、ヘッドサポート６４を折り返した際にサポートベルト８０に生じる捻れ方向と逆方向に予めサポートベルト８０を半回転させてフック８１を留め具３１に取り付けておけば、ヘッドサポート６４を折り返す際にサポートベルト８０の捻れが解消することになり、フック８１を留め具３１に装着したまま円滑にヘッドサポート６４を折り返すことができる。
【００６１】
なお、図１（ｄ）及び図１（ｆ）から明らかなように、ヘッドサポート６４を最大限に折り返した際、幼児１００の腕の位置によってはサポートベルト８０が邪魔になることがあり、その場合には幼児１００の脇下を通してサポートベルト８０を通した上でフック８１を留め具３１に取り付けることがあり得る。
【００６２】
（子守帯本体の利点について）
次に、子守帯本体２のさらなる利点について説明する。まず、本実施形態では子守帯本体２に硬質樹脂からなる背板１４が内蔵されているため、子守帯本体２に作用する荷重を肩帯１１及び腰当部１２に分散させることができる。このため、使用者における負担が軽減される。このような背板１４を省略し、クッション材のみを子守帯本体２に内蔵した場合には子守帯本体２が幼児の自重で大きく変形し、使用者の肩又は腰に荷重が偏って作用する。
【００６３】
また、本実施形態では背板１４の下部に折り曲げ部１７を設けることにより、腰当部１２をベース部１０に対して曲げ変形可能としているため、幼児をソファ等の座面に座らせた状態から幼児を背負う場合において、その座面と子守帯本体２の下部とが接しても、腰当部１２が適度に逃げることにより背板１４の存在が邪魔にならない利点がある。
【００６４】
一方、縦抱き用シート４に関しては背板１４のような剛体が内蔵されていないので、縦抱き用シート４に保持された幼児は脇下ベルト６５によって脇の下から引っ張り上げられるようになる。このため、縦抱き用シート４が幼児の体格にフィットし易く、使用者と幼児との密着性を高めることができる。これにより、使用者の肩及び腰への荷重分散をさらに確実なものとし、使用者の負担を軽減することができる。
【００６５】
上述したように、子守帯本体２の肩帯１１はたすき掛け状態及びリュック掛け状態のいずれにおいても使用可能であるが、たすき掛け状態は主として幼児を抱っこする際に使用され、リュック掛け状態は幼児をおんぶする際に使用される。このような使い分けをする場合において、仮に腰当部１２の位置が不変であると、おんぶ状態で腰当部１２が使用者の胸付近までせり上がり、その結果として幼児が使用者から離れてそのおんぶ位置が必要以上に下がることがあり、幼児の体重を使用者の腰回りに適切に分散できないことがある。これに対して、本実施形態の子守帯本体２はベース部１０に対して腰当部１２の位置を上下に変化させることができる。従って、おんぶ時には腰当部１２を下げ、抱っこ時には腰当部１２を上げることにより、おんぶ及び抱っこのいずれに対しても子守帯本体２の上下方向の長さを最適化することができる。これにより、上述したような幼児のおんぶ位置の低下を防ぎことができ、いずれの位置においても使用者の肩及び腰に荷重を分散させて使用者の負担を軽減することができる。
【００６６】
以上の実施形態においては、図２９及び図３０に示した連結構造が請求項１〜４に対応し、そのメスバックル２６ｂがシート留め部に、オスバックル２６ａが連結具にそれぞれ対応する。また、図３１及び図３２に示した連結構造は請求項５に対応し、図３１においてはループバンド８６がシート留め部に、バックル２６ａ、２６ｂが連結具にそれぞれ相当し、図３２においてはファスナ８７ａがシート留め部に、ファスナ８７ｂが連結具にそれぞれ相当する。本発明は以上の実施形態に限定されることなく、各種の形態にて実施してよい。シート留め部及び連結具はバックルやファスナを用いた例に限らず、幼児を支持可能な強度を有する限りにおいて各種の手段を用いてよい。
【図面の簡単な説明】
【００６７】
【図１】本発明に係る子守帯の使用形態を示す図。
【図２】子守帯本体の正面図。
【図３】子守帯本体の背面図。
【図４】子守帯本体に内蔵される背板の正面図。
【図５】子守帯本体のベース部と腰当部との連結構造を示す斜視図。
【図６】子守帯本体に使用される留め具を示す図。
【図７】子守帯本体の肩帯における余長部をバンドによってまとめた状態を示す図。
【図８】子守帯本体の腰当部に設けられたメスバックルを示す斜視図。
【図９】子守帯本体の腰当部に設けられたメスバックルの取り付け状態を示す図。
【図１０】子守帯本体の腰当部の斜視図。
【図１１】横抱き用シートの平面図。
【図１２】横抱き用シートに内蔵される背板の平面図。
【図１３】横抱き用シートのヘッドガードに内蔵される芯材の平面図。
【図１４】横抱き用シートに設けられるハンギングボードの斜視図。
【図１５】ハンギングボードの平面図。
【図１６】ハンギングボードの底面図。
【図１７】ハンギングボードに内蔵される芯材の斜視図。
【図１８】子守帯本体に横抱き用シートを装着した状態を示す斜視図。
【図１９】子守帯本体に横抱き用シートを装着した状態を幼児の頭部側からみた状態を示す図。
【図２０】ハンギングベルトの取り付け状態を示す図。
【図２１】ハンギングベルトのストッパと留め具との関係を示す図。
【図２２】横抱き用シートに載せられた幼児を使用者と対向する方向からみた状態を示す図。
【図２３】横抱き用シートに載せられた幼児をその上方からみた状態を示す図。
【図２４】横抱き用シートに載せられた幼児を足側からみた状態を示す図。
【図２５】縦抱き用シートの正面図。
【図２６】縦抱き用シートの背面図。
【図２７】縦抱き用シートのさらなる正面図。
【図２８】子守帯本体に縦抱き用シートを装着した状態を示す斜視図。
【図２９】子守帯本体に縦抱き用シートの底支持部を連結する手順を示す図。
【図３０】子守帯本体に縦抱き用シートの底支持部を連結する他の手順を示す図。
【図３１】子守帯本体と縦抱き用シートとの連結構造に関する他の形態を示す図。
【図３２】子守帯本体と縦抱き用シートとの連結構造に関するさらに他の形態を示す図。
【図３３】子守帯本体に装着された縦抱き用シートのヘッドサポートを折り返した状態を示す斜視図。
【符号の説明】
【００６８】
１  子守帯
２  子守帯本体
３  横抱き用シート
４  縦抱き用シート
１０  ベース部
１１  肩帯
１２  腰当部
１３  腰ベルト
１４  背板
１６  ヒンジ軸
１７  折り曲げ部
１８  抜き窓
１９  ポケット
２０  腰当部本体
２１  カバー
２２ａ、２２ｂ  スナップ
２５  留め具
３０  揺れ止めバンド
３２ａ  オスバックル
３２ｂ  メスバックル
３３  バックル固定ベルト
４０  シート本体
４１  ハンギングボード
４１ａ  マット受け部
４１ｂ  アーム部
４２  マット
４２ａ  頭部支持部
４２ｂ  臀部支持部
４２ｃ  脚支持部
４３  ヘッドガード
４４  腹部パッド
４５  腹部ベルト
４６  臀部ベルト
４７  背板
４８  芯材
４９  座板
５６  ハンギングベルト
５６ａ  余長部
５６ｂ  ストッパ部
５７  芯材
５８  フック
５９  留め具
６２  シート本体
６３  底支持部
６４  ヘッドサポート
６５  脇下ベルト
６５ａ  余長部
６７  胴部ベルト
７５  アジャストベルト
７８  ループベルト
８０  サポートベルト
８１  フック
８２  ヘッドフックカバー
８３  縫い目線
１００  幼児
１０１  使用者
１０２  固定部
【図１】
2005118475.tif 000003
【図２】
2005118475.tif 000004
【図３】
2005118475.tif 000005
【図４】
2005118475.tif 000006
【図５】
2005118475.tif 000007
【図６】
2005118475.tif 000008
【図７】
2005118475.tif 000009
【図８】
2005118475.tif 000010
【図９】
2005118475.tif 000011
【図１０】
2005118475.tif 000012
【図１１】
2005118475.tif 000013
【図１２】
2005118475.tif 000014
【図１３】
2005118475.tif 000015
【図１４】
2005118475.tif 000016
【図１５】
2005118475.tif 000017
【図１６】
2005118475.tif 000018
【図１７】
2005118475.tif 000019
【図１８】
2005118475.tif 000020
【図１９】
2005118475.tif 000021
【図２０】
2005118475.tif 000022
【図２１】
2005118475.tif 000023
【図２２】
2005118475.tif 000024
【図２３】
2005118475.tif 000025
【図２４】
2005118475.tif 000026
【図２５】
2005118475.tif 000027
【図２６】
2005118475.tif 000028
【図２７】
2005118475.tif 000029
【図２８】
2005118475.tif 000030
【図２９】
2005118475.tif 000031
【図３０】
2005118475.tif 000032
【図３１】
2005118475.tif 000033
【図３２】
2005118475.tif 000034
【図３３】
2005118475.tif 000035